(57)【要約】【課題】製造を複雑化し過ぎることなく、弦の振動を高品位に検出する。【解決手段】響板１２と、響板１２上において張設された複数の弦１７と、弦１７の振動を響板１２に伝える駒１４と、弦１７の長手方向に交差するように延在して複数の弦１７を支持し、駒１４と共に弦１７の有効弦長を定める有効弦支持部３０と、有効弦支持部３０に設けられる線状の圧電センサ４０と、を備え、圧電センサ４０が、響板１２の厚さ方向から見て有効弦支持部３０と重なるように、有効弦支持部３０の延在方向に沿って配される鍵盤楽器を提供する。【選択図】図３
2016126192.tif 000002
【特許請求の範囲】
【請求項１】
響板と、該響板上において張設された複数の弦と、前記弦の振動を前記響板に伝える駒と、前記弦の長手方向に交差するように延在して複数の前記弦を支持し、前記駒と共に前記弦の有効弦長を定める有効弦支持部と、該有効弦支持部に設けられる線状の圧電センサと、を備え、
前記圧電センサが、前記響板の厚さ方向から見て前記有効弦支持部と重なるように、前記有効弦支持部の延在方向に沿って配されることを特徴とする鍵盤楽器。
【請求項２】
前記圧電センサが、前記有効弦支持部の内部に設けられることを特徴とする請求項１に記載の鍵盤楽器。
【請求項３】
前記有効弦支持部が、支持部本体と、該支持部本体と前記弦との間に位置して前記弦に接触する接触部と、に分割され、
前記圧電センサが、前記支持部本体と前記接触部との間に埋め込まれることを特徴とする請求項２に記載の鍵盤楽器。
【発明の詳細な説明】
【技術分野】
【０００１】
本発明は、鍵盤楽器に関する。
【背景技術】
【０００２】
アコースティックの鍵盤楽器においては、演奏により弦が振動し、その振動が駒を通じて響板に伝達されることで音響が発生する。鍵盤楽器の演奏を記録等するためには、弦や響板等の振動、発生音を検出する必要がある。
【０００３】
従来では、振動等を検出するための機構として、マイクロフォンにより音を収録する構成が知られている。しかし、この構成では、ハウリングに弱く、周囲の音を拾いやすいという欠点がある。また、弦の各々にピックアップを取り付ける構成では、音質に不満があるだけでなく、製造が容易でない。
【０００４】
そこで、音質を向上させるために、特許文献１では、フレームに取り付けたピックアップ装置を、駒の一側面に設けた突設部の下面に点接触させ、検出の感度を向上させるようにしている。
【先行技術文献】
【特許文献】
【０００５】
【特許文献１】実公昭６１−３４５５８号公報
【特許文献２】米国特許第６６７７５１４号明細書
【特許文献３】米国特許第６２３９３４９号明細書
【特許文献４】米国特許第６４２９３６７号明細書
【発明の概要】
【発明が解決しようとする課題】
【０００６】
しかしながら、特許文献１では、二つの音高の弦当たり一個のピックアップ装置を設けており、駒に突設部を多数設けることと相まって、構成が複雑化し、製造が容易でない。また、多数のピックアップ装置を精度良く配置しなければならず、検出精度のばらつきを抑えるために、製造の工数が多くなりやすい。このため、製造を複雑化しすぎずに、検出信号の品位を高めてハウリングやノイズの小さい音色の音を得る上で、改善の余地があった。
【０００７】
ところで、特許文献２、３、４では、同軸ケーブル型の圧電センサ（ピエゾセンサ）をギターに適用する構成が記載されている。このセンサケーブルは、サドルの下でブリッジ内に配置される。なお、センサケーブルをピアノにも適用できる旨の記載もあるが、その配設の態様については検討されていない。
【０００８】
本発明は、上述した事情に鑑みてなされたものであって、製造を複雑化し過ぎることなく、弦の振動を高品位に検出することができる鍵盤楽器を提供することを目的とする。
【課題を解決するための手段】
【０００９】
上記課題を解決するために、本発明の鍵盤楽器は、響板と、該響板上において張設された複数の弦と、前記弦の振動を前記響板に伝える駒と、前記弦の長手方向に交差するように延在して複数の前記弦を支持し、前記駒と共に前記弦の有効弦長を定める有効弦支持部と、該有効弦支持部に設けられる線状の圧電センサと、を備え、前記圧電センサが、前記響板の厚さ方向から見て前記有効弦支持部と重なるように、前記有効弦支持部の延在方向に沿って配されることを特徴とする。
【００１０】
前記鍵盤楽器においては、前記圧電センサが、前記有効弦支持部の内部に設けられてもよい。
【００１１】
前記鍵盤楽器においては、前記有効弦支持部が、支持部本体と、該支持部本体と前記弦との間に位置して前記弦に接触する接触部と、に分割され、前記圧電センサが、前記支持部本体と前記接触部との間に埋め込まれてもよい。
【発明の効果】
【００１２】
本発明によれば、製造を複雑化し過ぎることなく、弦の振動を高品位に検出することができる。
【図面の簡単な説明】
【００１３】
【図１】本発明の一実施形態に係る楽器であるピアノの主要部を示す平面図である。
【図２】圧電センサの構成を示す斜視図である。
【図３】図１のピアノにおいて、高音域の弦に対する圧電センサの配設態様を示す断面図である。
【図４】図１のピアノにおいて、中低音域の弦に対する圧電センサの配設態様を演奏者側から見た正面図である。
【図５】図４のＡ−Ａ矢視断面図である。
【図６】圧電センサから出力される検出信号の流れの一例を示す図である。
【図７】有効弦支持部の構成の変形例を示す断面図である。
【発明を実施するための形態】
【００１４】
以下、図１〜６を参照して本発明の一実施形態について説明する。本実施形態では、本発明の楽器として鍵盤楽器の一つであるピアノ１を例示する。
図１に示すように、この実施形態に係るピアノ１は、アコースティックピアノの一種であるグランドピアノである。図１においては、屋根、弦、鍵盤等の図示が省略されている。ピアノ１は、公知の基本構成であるフレーム１１、響板１２、側板１３、長駒（駒）１４、短駒本体（駒）１５、複数の響棒１６、有効弦支持部３０などを備える。複数の響棒１６は、互いに平行するように響板１２の下面に固定される。
【００１５】
複数の弦１７（図３〜５参照）は、響板１２の上面１２ａ上において、フレーム１１に設けられたピッチピン及びチューニングピンによって張設される。
長駒１４、短駒本体１５は、響板１２と弦１７との間に挟まれるように位置する。長駒１４は、図３に示すように、響板１２の上面１２ａに固定される。図１に示すように、短駒本体１５は、短駒付台１８及び短駒脚１９を介して響板１２の上面１２ａに固定されてもよいが、例えば長駒１４と同様に響板１２の上面１２ａに直接固定されてもよい。
【００１６】
このように長駒１４、短駒本体１５が設けられることで、演奏操作によりハンマ２０（図３参照）に打撃されて生じる弦１７の振動は、長駒１４、短駒本体１５を介して響板１２に伝わる。
長駒１４、短駒本体１５は、響板１２の厚さ方向から見た平面視で帯状に形成される。また、短駒本体１５の長さは長駒１４よりも短い。長駒１４、短駒本体１５、短駒脚１９は、いずれも高音側（演奏者から見て右側）に向かうにしたがって、演奏者から見て手前側に近づくように斜めに延在している。
本実施形態において、上記した響板１２、長駒１４、短駒本体１５、短駒付台１８、短駒脚１９等は木製である。また、フレーム１１は金属製である。
【００１７】
図１，３〜５に示すように、有効弦支持部３０は、弦１７の長手方向に交差するように延在して複数の弦１７を支持し、長駒１４や短駒本体１５と共に弦１７の有効弦長を定める。弦１７のうち有効弦支持部３０と長駒１４や短駒本体１５との間に位置する有効弦１７Ａの部分は、ハンマ２０によって打撃される部分である。有効弦支持部３０は、例えば図３に示すように、同一の弦１７に対して長駒１４や短駒本体１５と逆向きに押し付けられてもよいが、例えば長駒１４や短駒本体１５と同じ向きに押し付けられてもよい。本実施形態の有効弦支持部３０は金属製である。本実施形態では、有効弦支持部３０の構成が高音域の弦１７と中低音域の弦１７とで互いに異なる。
【００１８】
高音域の弦１７に対応する第一有効弦支持部３０Ａは、フレーム１１の一部によって構成されている。第一有効弦支持部３０Ａは、図３に示すように、第一支持部本体３１Ａと、第一支持部本体３１Ａと弦１７との間に位置して弦１７に接触する第一ベアリング（接触部）３２Ａと、を備える。本実施形態において、高音域の弦１７はフレーム１１の下側を通るため、第一ベアリング３２Ａは第一支持部本体３１Ａの下側に位置する。第一有効弦支持部３０Ａは、例えば弦１７の配列方向（図１において左右方向）に複数に分けて設けられてもよいが、本実施形態では、図１に示すように全ての高音域の弦１７をまとめて支持するように一つだけ設けられている。
【００１９】
図４，５に示すように、中低音域の弦１７に対応する第二有効弦支持部３０Ｂは、アグラフの代わりにフレーム１１の上側に設けられる。本実施形態において、中低音域の弦１７はフレーム１１の上側を通るため、第二有効弦支持部３０Ｂは、中低音域の弦１７がフレーム１１との間に通るようにアーチ状（門型）に形成されている。第二有効弦支持部３０Ｂは、アーチ状に形成された第二支持部本体３１Ｂと、第二支持部本体３１Ｂと弦１７との間に位置して弦１７に接触する第二ベアリング（接触部）３２Ｂと、を備える。本実施形態において、第二ベアリング３２Ｂは第二支持部本体３１Ｂの下側に位置する。第二有効弦支持部３０Ｂは、例えば全ての中低音域の弦１７をまとめて支持するように一つだけ設けられてもよいが、本実施形態では、図１に示すように中低音域の複数の弦１７の配列方向に複数（図示例では二つ）に分けて設けられている。
【００２０】
ピアノ１は、線状の圧電センサ４０を備える。圧電センサ４０は、その長手方向に直交する方向から外力を受けた際に弾性的に変形可能である。本実施形態の圧電センサ４０は、図２に示すように、断面円形状とされた同軸ケーブル型のセンサであり、芯線４１と、芯線４１の外側を覆う圧電素子フィルム４２と、編み線からなり圧電素子フィルム４２をさらに外側から覆う外側導電層４３と、を備える。外側導電層４３の外側はポリエチレン製などの電気的な絶縁性を有する被覆部４４によって保護されている。
圧電素子フィルム４２は、ピエゾポリマー（圧電ポリマー）からなり、芯線４１と外側導電層４３との間で絶縁体として機能する。圧電センサ４０では、圧電素子フィルム４２が圧縮力や引張力を受けることで、その応力に比例した電圧を発生する。
【００２１】
圧電センサ４０は、図１，３〜５に示すように、各有効弦支持部３０に設けられる。圧電センサ４０は、響板１２の厚さ方向から見て有効弦支持部３０と重なるように、有効弦支持部３０の延在方向に沿って配される。本実施形態では、圧電センサ４０が、有効弦支持部３０の内部に設けられる。
【００２２】
次に、図３を参照して第一有効弦支持部３０Ａに対する圧電センサ４０Ａの取付構造について説明する。
第一有効弦支持部３０Ａの第一支持部本体３１Ａ及び第一ベアリング３２Ａは、相互に分割されている。第一支持部本体３１Ａ及び第一ベアリング３２Ａは、相互に対向する第一支持部本体３１Ａ及び第一ベアリング３２Ａの対向面３１ｃ，３２ｃが相互に接触するように固定される。第一支持部本体３１Ａ及び第一ベアリング３２Ａは、例えば第一ベアリング３２Ａが第一支持部本体３１Ａ及び弦１７によって挟まれることで固定されてもよいし、例えば接着剤（不図示）によって固定されてもよい。
【００２３】
接着剤を使用せずに第一支持部本体３１Ａと第一ベアリング３２Ａとを固定する場合には、例えば第一支持部本体３１Ａ及び第一ベアリング３２Ａがこれらの配列方向に直交する方向にずれることを抑制する位置決め部を設けるとよい。位置決め部は、例えば、相互に対向する第一支持部本体３１Ａ及び第一ベアリング３２Ａの対向面３１ｃ，３２ｃの一方に形成された突起部、及び、これら対向面３１ｃ，３２ｃの他方に形成されて突起部を挿入させる挿入孔によって構成されるとよい。
【００２４】
第一ベアリング３２Ａの対向面３２ｃには、第一有効弦支持部３０Ａの延在方向に延びる凹溝３３Ａが形成されている。凹溝３３Ａは、第一有効弦支持部３０Ａの全長にわたって形成されている。圧電センサ４０Ａは、凹溝３３Ａの全長にわたって凹溝３３Ａに収容された上で、第一支持部本体３１Ａと第一ベアリング３２Ａとの間に挟まれる。さらに、第一支持部本体３１Ａ及び第一ベアリング３２Ａが相互に固定されることにより、圧電センサ４０Ａが第一支持部本体３１Ａと第一ベアリング３２Ａとの間に埋め込まれる。この状態において、圧電センサ４０Ａは、凹溝３３Ａの内面及び第一支持部本体３１Ａの対向面３１ｃに常に接触し、かつ、外周側から常に圧縮応力を受ける。
【００２５】
凹溝３３Ａの断面形状は、図３のように円弧形状を含む形状に限らず、少なくとも第一支持部本体３１Ａ及び第一ベアリング３２Ａを相互に固定した状態で圧電センサ４０Ａが外周側から常に圧縮応力を受ける形状であればよい。すなわち、凹溝３３Ａの断面形状は三角形や四角形等の多角形状であってもよい。
【００２６】
図４，５に示すように、第二有効弦支持部３０Ｂに対する圧電センサ４０Ｂの取付構造は、第一有効弦支持部３０Ａに対する圧電センサ４０Ａの取付構造と同様である。
すなわち、第二有効弦支持部３０Ｂの第二支持部本体３１Ｂ及び第二ベアリング３２Ｂは、相互に分割されている。第二支持部本体３１Ｂ及び第二ベアリング３２Ｂは、例えば第二ベアリング３２Ｂが第二支持部本体３１Ｂ及び弦１７の間に挟まれて固定されてもよいし、例えば接着剤によって固定されてもよい。
【００２７】
また、第二ベアリング３２Ｂの対向面３２ｄには、第一ベアリング３２Ａと同様の凹溝３３Ｂが形成されている。圧電センサ４０Ｂは、凹溝３３Ｂに収容された上で、第二支持部本体３１Ｂと第二ベアリング３２Ｂとの間に埋め込まれる。この状態において、圧電センサ４０Ｂは、凹溝３３Ｂの内面及び第二支持部本体３１Ｂの対向面３１ｄに常に接触し、かつ、外周側から常に圧縮応力を受ける。
本実施形態では、第二有効弦支持部３０Ｂが二つに分けて設けられているため、圧電センサ４０Ｂも二つの圧電センサ４０Ｂ１，４０Ｂ２に分けて設けられている。
【００２８】
さらに、本実施形態では、図１に示すように、圧電センサ４０Ｃ，４０Ｄ，４０Ｅが長駒１４、短駒本体１５、短駒脚１９にも設けられる。各圧電センサ４０Ｃ，４０Ｄ，４０Ｅは、有効弦支持部３０Ａ，３０Ｂの場合と同様に、響板１２の厚さ方向から見て長駒１４、短駒本体１５、短駒脚１９と重なるように、長駒１４、短駒本体１５、短駒脚１９の延在方向に沿って配される。これら圧電センサ４０Ｃ，４０Ｄ，４０Ｅは、例えば有効弦支持部３０Ａ，３０Ｂの場合と同様に長駒１４、短駒本体１５、短駒脚１９の内部に設けられてもよいし、例えば長駒１４、短駒脚１９と響板１２との間（図３参照）、短駒本体１５と短駒付台１８との間に設けられてもよい。
【００２９】
以上のように構成される本実施形態のピアノ１では、弦１７の振動によって各有効弦支持部３０Ａ，３０Ｂが変位、振動すると、各有効弦支持部３０Ａ，３０Ｂに設けた圧電センサ４０Ａ，４０Ｂに作用する圧縮応力が変化する、すなわち圧電センサ４０Ａ，４０Ｂが反応する。また、弦１７の振動によって響板１２、長駒１４、短駒本体１５、短駒脚１９が変位、振動すると、長駒１４、短駒本体１５、短駒脚１９に設けた圧電センサ４０Ｃ，４０Ｄ，４０Ｅに作用する圧縮応力が変化する、すなわち圧電センサ４０Ｃ，４０Ｄ，４０Ｅが反応する。そして、これらの圧電センサ４０Ａ〜４０Ｅの反応により、各圧電センサ４０Ａ〜４０Ｅから検出信号が出力される。
【００３０】
有効弦支持部３０Ａ，３０Ｂに設けた圧電センサ４０Ａ，４０Ｂから出力された検出信号は、例えば図６に示すように、それぞれ音データとして記録部５１に記録されたり、音信号として外部に出力されたりする。記録部５１に記録された音データは、音響の再現等に利用される。これら複数の圧電センサ４０Ａ，４０Ｂの検出信号は、例えば図６のようにミキサ５２において混合した上で外部に出力されてもよいが、例えば個別に出力されてもよい。また、複数の圧電センサ４０Ａ，４０Ｂの検出信号は、例えば図６のように個別に記録部５１に出力されてもよいが、例えばミキサ５２において混合された上で記録部５１に出力されてもよい。また、圧電センサ４０Ａ，４０Ｂの検出信号は、例えば図６のようにアンプ５３において増幅された上で、記録されたり出力されたりしてもよい。アンプ５３は、例えば図６のように複数の圧電センサ４０Ａ，４０Ｂから出力された検出信号を個別に増幅してもよいが、例えばミキサ５２において混合された後の信号を増幅してもよい。
【００３１】
長駒１４、短駒本体１５、短駒脚１９に設けた圧電センサ４０Ｃ，４０Ｄ，４０Ｅから出力された検出信号については、特に図示しないが、有効弦支持部３０Ａ，３０Ｂに設けた圧電センサ４０Ａ，４０Ｂから出力された検出信号と同様に扱われる。なお、短駒本体１５及び短駒脚１９に設けた二つの圧電センサ４０Ｄ，４０Ｅは主に同じ音域の振動を検出するため、これら二つの圧電センサ４０Ｄ，４０Ｅのうち一方の検出信号だけを記録したり出力したりしてもよい。また、上記した二つの圧電センサ４０Ｄ，４０Ｅの一方は、例えば設けられなくてもよい。
そして、長駒１４、短駒本体１５、短駒脚１９に設けた圧電センサ４０Ｃ，４０Ｄ，４０Ｅから出力された検出信号は、例えば、有効弦支持部３０Ａ，３０Ｂに設けた圧電センサ４０Ａ，４０Ｂから出力された検出信号と、混合した上で外部に出力されてもよいが、個別に出力されてもよい。
【００３２】
以上説明したように、本実施形態のピアノ１によれば、弦１７の振動を有効弦支持部３０Ａ，３０Ｂに設けられた圧電センサ４０Ａ，４０Ｂによって検出するため、周囲の音を拾いにくくなる。また、圧電センサ４０Ａ，４０Ｂは、有効弦支持部３０Ａ，３０Ｂの延在方向の位置による感度が平均化されるため、従来のピックアップ装置と比較して、検出精度のばらつきを容易に抑えることができる。さらに、有効弦支持部３０Ａ，３０Ｂに設けた圧電センサ４０Ａ，４０Ｂによる振動の検出は、従来のピックアップ装置と比較してハウリングに強く、Ｓ／Ｎ比も良好である。
したがって、弦１７の振動を高品位に検出することができる、すなわち、従来と比較してハウリングやノイズの小さい音を検出することが可能となる。
【００３３】
さらに、圧電センサ４０Ａ，４０Ｂには市販の製品を利用できるため、また、ピアノ１に設ける圧電センサ４０Ａ，４０Ｂの数は従来のピックアップ装置の数と比較して少ないため、製造コストを低く抑えることができる。
また、ピアノ１に設ける圧電センサ４０Ａ，４０Ｂの数を少なく抑えることができ、さらに、従来のように検出精度のばらつきを抑えるための工数も不要となるとなるため、製造の工数を少なく抑えることができる。
【００３４】
以上のことから、本実施形態のピアノ１によれば、製造を複雑化し過ぎることなく、弦１７の振動を高品位に検出することができる。
【００３５】
また、有効弦支持部３０Ａ，３０Ｂは、長駒１４や短駒本体１５等のように弦１７の振動を響板１２に伝えて音響の発生に寄与する役割を果たすものではないため、長駒１４や短駒本体１５等と比較して、圧電センサ４０Ａ，４０Ｂを容易に設けることができる。
【００３６】
さらに、本実施形態のピアノ１によれば、圧電センサ４０Ａ，４０Ｂが有効弦支持部３０Ａ，３０Ｂの内部に設けられることで、圧電センサ４０Ａ，４０Ｂが弦１７に接触しない。このため、弦１７の振動特性が圧電センサ４０Ａ，４０Ｂによって変化することを防止できる。したがって、弦１７の振動が響板１２に伝達されることで発生する音響の質が、圧電センサ４０Ａ，４０Ｂの設置によって変化することを防止できる。また、圧電センサ４０Ａ，４０Ｂが弦１７に接触する場合と比較して、圧電センサ４０Ａ，４０Ｂの弾性的な変形が弦１７の張力に影響しない。したがって、圧電センサ４０Ａ，４０Ｂを設けながらも、弦１７の張力すなわち弦１７の音高を容易に調整することが可能となる。
【００３７】
また、本実施形態のピアノ１によれば、圧電センサ４０Ａ，４０Ｂが各有効弦支持部３０Ａ，３０Ｂの支持部本体３１Ａ，３１Ｂとベアリング３２Ａ，３２Ｂとの間に埋め込まれる。これにより、圧電センサ４０Ａ，４０Ｂを互いに対向する支持部本体３１Ａ，３１Ｂ及びベアリング３２Ａ，３２Ｂの対向面３１ｃ，３１ｄ，３２ｃ，３２ｄの一方に設けた後に、支持部本体３１Ａ，３１Ｂ及びベアリング３２Ａ，３２Ｂを互いに固定するだけで、圧電センサ４０Ａ，４０Ｂを簡単に支持部本体３１Ａ，３１Ｂと有効弦支持部３０Ａ，３０Ｂとの間に埋め込むことができる。すなわち、圧電センサ４０Ａ，４０Ｂを容易に有効弦支持部３０Ａ，３０Ｂに取り付けることができる。
【００３８】
また、本実施形態のピアノ１によれば、圧電センサ４０Ａ，４０Ｂを収容する凹溝３３Ａ，３３Ｂがベアリング３２Ａ，３２Ｂの対向面３２ｃ，３２ｄのみに形成されている。このため、ベアリング３２Ａ，３２Ｂの対向面３２ｃ，３２ｄを上方に向けた状態で圧電センサ４０Ａ，４０Ｂを凹溝３３Ａ，３３Ｂに収容した後、支持部本体３１Ａ，３１Ｂを上方から重ねることで、圧電センサ４０Ａ，４０Ｂが凹溝３３Ａ，３３Ｂに対して位置ずれすることを防止できる。また、支持部本体３１Ａ，３１Ｂを重ねる際に、圧電センサ４０Ａ，４０Ｂの位置決めが不要となる。したがって、圧電センサ４０Ａ，４０Ｂを各有効弦支持部３０Ａ，３０Ｂに対して容易かつ効率よく取り付けることができる。
【００３９】
また、本実施形態のピアノ１によれば、一部の圧電センサ４０Ａ，４０Ｂが、金属製の有効弦支持部３０Ａ，３０Ｂに設けられ、残りの圧電センサ４０Ｃ，４０Ｄ，３０Ｅが木製の長駒１４、短駒本体１５等に設けられる。このため、弦１７の振動に基づいて圧電センサ４０Ａ〜３０Ｅに作用する圧縮応力の態様が、有効弦支持部３０Ａ，３０Ｂに設けた圧電センサ４０Ａ，４０Ｂと、長駒１４や短駒本体１５等に設けた圧電センサ４０Ｃ，４０Ｄ，３０Ｅとで異なる。すなわち、有効弦支持部３０Ａ，３０Ｂに設けた圧電センサ４０Ａ，４０Ｂから出力される検出信号に基づいて外部に出力される音響の特性が、長駒１４や短駒本体１５等に設けた圧電センサ４０Ｃ，４０Ｄ，３０Ｅから出力される検出信号に基づいて外部に出力される音響の特性と異なる。
したがって、有効弦支持部３０Ａ，３０Ｂに設けた圧電センサ４０Ａ，４０Ｂから出力される検出信号、及び、長駒１４、短駒本体１５等に設けた圧電センサ４０Ｃ，４０Ｄ，３０Ｅから出力される検出信号をミキサ５２等において混合した上で外部に出力する場合には、より深みのある音響を得ることができる。また、ピアノ１の響板１２等の振動によって発生する生の音響の音色に近づけることができる。
【００４０】
以上、本発明について詳細に説明したが、本発明は上記実施形態に限定されるものではなく、本発明の趣旨を逸脱しない範囲において種々の変更を加えることが可能である。
【００４１】
圧電センサ４０Ａ，４０Ｂを収容する有効弦支持部３０Ａ，３０Ｂの凹溝３３Ａ，３３Ｂは、例えば図７に示すように、支持部本体３１Ａ，３１Ｂの対向面３１ｃ，３１ｄのみに形成されてもよいし、例えば支持部本体３１Ａ，３１Ｂ及びベアリング３２Ａ，３２Ｂの両方の対向面３１ｃ，３１ｄ，３２ｃ，３２ｄに形成されてもよい。凹溝３３Ａ，３３Ｂが支持部本体３１Ａ，３１Ｂのみに形成される場合には、上記実施形態の場合と同様に、圧電センサ４０Ａ，４０Ｂを有効弦支持部３０Ａ，３０Ｂに対して容易かつ効率よく取り付けることができる。
【００４２】
また、有効弦支持部３０Ａ，３０Ｂに設けられる圧電センサ４０Ａ，４０Ｂは、例えば支持部本体３１Ａ，３１Ｂの内部や、ベアリング３２Ａ，３２Ｂの内部に設けられてもよい。この場合には、例えば、支持部本体３１Ａ，３１Ｂあるいはベアリング３２Ａ，３２Ｂを二つの分割体に分けて形成した上で、圧電センサ４０Ａ，４０Ｂを二つの分割体の間に埋め込めばよい。また、この場合、各有効弦支持部３０Ａ，３０Ｂの支持部本体３１Ａ，３１Ｂ及びベアリング３２Ａ，３２Ｂは、上記実施形態のように分割されなくてもよい、すなわち、一体に形成されてもよい。
【００４３】
また、例えば、二つに分割して設けられる第二有効弦支持部３０Ｂに対して一つの圧電センサ４０Ｂを引き回すように設けてもよい。さらに、例えば、同一の圧電センサ４０が、第一、第二有効弦支持部３０Ａ，３０Ｂの両方にわたって引き回すように設けられてもよい。
【００４４】
さらに、圧電センサ４０は、例えば長駒１４、短駒本体１５、短駒脚１９のいずれか一つあるいは二つに設けられてもよい。また、圧電センサ４０は、例えば長駒１４、短駒本体１５、短駒脚１９に設けられなくてもよい。
【００４５】
また、圧電センサ４０は、例えば帯状に形成されたリボンケーブル型のセンサであってもよい。
【００４６】
また、本発明は、グランドピアノに限らず、アップライトピアノ等の他の鍵盤楽器にも適用可能である。
【符号の説明】
【００４７】
１…ピアノ（鍵盤楽器）、１２…響板、１４…長駒（駒）、１５…短駒本体（駒）、１７…弦、３０，３０Ａ，３０Ｂ…有効弦支持部、３１Ａ，３１Ｂ…支持部本体、３２Ａ，３２Ｂ…ベアリング（接触部）、４０，４０Ａ，４０Ｂ…圧電センサ
【図１】
2016126192.tif 000003
【図２】
2016126192.tif 000004
【図３】
2016126192.tif 000005
【図４】
2016126192.tif 000006
【図５】
2016126192.tif 000007
【図６】
2016126192.tif 000008
【図７】
2016126192.tif 000009